(57)【要約】【課題】かご内の環境を良好な状態へ安価で整えることができるエレベータの監視システムの提供。【解決手段】本発明のエレベータ１の監視システムでは、監視センタ装置１３は、気象情報を配信する気象情報サービス会社１４から地域毎の気温データ及び湿度データを取得する気象情報取得部１３Ｂ１と、エレベータ１に対して予め設定される気温データ及び湿度データを格納する顧客情報データベース１３Ｅと、気象情報取得部１３Ｂ１で取得したデータ及び顧客情報データベース１３Ｅに格納されたデータに基づいて、ファン４の運転の制御指令を監視装置１１へ送信するファン制御指令送信部１３Ｂ２とを含み、監視装置１１は、ファン制御指令送信部１３Ｂ２から受信した制御指令に応じて、ファン４の運転を制御するファン制御部１１Ａ１を含む。【選択図】図１
2015224115.tif 000002
【特許請求の範囲】
【請求項１】
昇降路内を昇降するかご、及び前記かご内の空気を換気するファンを備えたエレベータに適用され、
前記エレベータの異常を監視する監視装置と、
前記監視装置と通信回線を介して接続され、前記エレベータの状態を遠隔的に監視する監視センタ装置とを備えたエレベータの監視システムにおいて、
前記監視センタ装置は、
気象情報を配信する専門機関から地域毎の気温データ及び湿度データの少なくとも一つのデータを取得する気象情報取得部と、
前記エレベータに対して予め設定される気温データ及び湿度データの少なくとも一つを格納する顧客情報データベースと、
前記気象情報取得部で取得した前記データ及び前記顧客情報データベースに格納された前記データに基づいて、前記ファンの運転の制御指令を前記監視装置へ送信するファン制御指令送信部とを含み、
前記監視装置は、
前記ファン制御指令送信部から受信した前記制御指令に応じて、前記ファンの運転を制御するファン制御部を含むことを特徴とするエレベータの監視システム。
【請求項２】
請求項１に記載のエレベータの監視システムにおいて、
前記ファン制御指令送信部は、
前記気象情報取得部で取得した前記気温データのうち前記エレベータが設置された地域の気温が前記顧客情報データベースに格納された前記気温データの気温に比べて第１の所定値以上である場合、及び前記気象情報取得部で取得した前記湿度データのうち前記エレベータが設置された地域の湿度が前記顧客情報データベースに格納された前記湿度データの湿度に比べて第２の所定値以上である場合のいずれかの場合に、前記制御指令として前記ファンの動作指令を前記ファン制御部へ送信し、
前記気象情報取得部で取得した前記気温データのうち前記エレベータが設置された地域の気温が前記顧客情報データベースに格納された前記気温データの気温に比べて前記第１の所定値未満である場合、及び前記気象情報取得部で取得した前記湿度データのうち前記エレベータが設置された地域の湿度が前記顧客情報データベースに格納された前記湿度データの湿度に比べて前記第２の所定値未満である場合のいずれかの場合に、前記制御指令として前記ファンの停止指令を前記ファン制御部へ送信することを特徴とするエレベータの監視システム。
【発明の詳細な説明】
【技術分野】
【０００１】
本発明は、エレベータのかごに設置されたファンの運転を制御するエレベータの監視システムに関する。
【背景技術】
【０００２】
一般に、エレベータのかご内の空気を換気するファンの運転切替は、エレベータが設置されたビルの管理人あるいはエレベータの保守作業を行う保守員が、かご内に設けられたファン専用スイッチを操作して行われている。そのため、エレベータの乗客からかご内の環境に関してクレームを受けることにより、かご内の空調が適切に行われていないことが判明した場合には、管理人がかご内のファン専用スイッチを操作してファンを動作させたり、あるいはビルの管理人が不在であれば、保守員が呼び出しを受けてからビルへ出動し、かご内のファン専用スイッチを操作してファンを動作させたりするしかなく、その間、エレベータの乗客に対して不快感を与える虞があった。
【０００３】
そこで、かごのファンの運転を制御するファン運転制御手段と、各種のデータが記憶された記憶手段を有する遠隔監視センタと、かご内の環境を感知するかご内環境感知手段と、このかご内環境感知手段からの環境データと遠隔監視センタの記憶手段の各種のデータとにより、かご内環境最適条件を設定するかご内環境最適条件設定手段とを備え、このかご内環境最適条件設定手段によって設定されたかご内環境最適条件に対応させてファン運転制御手段を作動させるエレベータ用かご内ファンの自動制御装置が提案されている（例えば、特許文献１参照）。
【先行技術文献】
【特許文献】
【０００４】
【特許文献１】特開２００２−２００６０号公報
【発明の概要】
【発明が解決しようとする課題】
【０００５】
上述した特許文献１に開示された従来技術のエレベータ用かご内ファンの自動制御装置では、ファン運転制御手段が作動してファンが運転することにより、ビルの管理人や保守員の手を煩わすことなく、かご内の環境が自動的に快適な環境になるが、その環境を得るためには、かご内環境感知手段として、例えば、温度、湿度、においの強さ、あるいは空気の汚れ度合等を測定するセンサをかご内に設置する必要がある。このようなセンサはそれ自体が高価であり、専門技術者による施工費もかさむことになるので、センサの設置コストがかかることが問題になっている。特に、エレベータが稼働してからある程度時間が経過した後、センサをかご内に追加して取り付ける場合には、エレベータの設計変更や施工に多大なコストを費やす等の懸念がある。
【０００６】
本発明は、このような従来技術の実情からなされたもので、その目的は、かご内の環境を良好な状態へ安価で整えることができるエレベータの監視システムを提供することにある。
【課題を解決するための手段】
【０００７】
上記の目的を達成するために、本発明のエレベータの監視システムは、昇降路内を昇降するかご、及び前記かご内の空気を換気するファンを備えたエレベータに適用され、前記エレベータの異常を監視する監視装置と、前記監視装置と通信回線を介して遠隔的に接続され、前記エレベータの状態を遠隔的に監視する監視センタ装置とを備えたエレベータの監視システムにおいて、前記監視センタ装置は、気象情報を配信する専門機関から地域毎の気温データ及び湿度データの少なくとも一つのデータを取得する気象情報取得部と、前記エレベータに対して予め設定される気温データ及び湿度データの少なくとも一つを格納する顧客情報データベースと、前記気象情報取得部で取得した前記データ及び前記顧客情報データベースに格納された前記データに基づいて、前記ファンの運転の制御指令を前記監視装置へ送信するファン制御指令送信部とを含み、前記監視装置は、前記ファン制御指令送信部から受信した前記制御指令に応じて、前記ファンの運転を制御するファン制御部を含むことを特徴としている。
【発明の効果】
【０００８】
本発明のエレベータの監視システムによれば、かご内の環境を良好な状態へ安価で整えることができる。前述した以外の課題、構成及び効果は、以下の実施形態の説明により明らかにされる。
【図面の簡単な説明】
【０００９】
【図１】本発明に係るエレベータの監視システムの一実施形態の構成を示す図である。
【図２】本実施形態に係る気象情報データベースに格納されたデータの構成を示す図である。
【図３】本実施形態に係る顧客情報データベースに格納されたデータの構成を示す図である。
【図４】本実施形態に係る監視センタ装置及び監視装置によるファンの運転の制御処理を説明するフローチャートである。
【発明を実施するための形態】
【００１０】
以下、本発明に係るエレベータの監視システムを実施するための形態を図に基づいて説明する。
【００１１】
本発明に係る監視システムの一実施形態は、例えば図１に示すように、建物に設置されたエレベータ１に適用される。なお、以下の説明において、本実施形態は複数のエレベータに適用可能であるが、これらの複数のエレベータのうち図１に示す１台のエレベータ１の構成について詳細に示し、その他のエレベータの構成はエレベータ１と同様であるので、重複する説明を省略している。
【００１２】
エレベータ１は、建物の昇降路２に配置され、この昇降路２内を昇降するかご３と、このかご３の天井に設置され、かご３内の空気を換気するファン４とを備えている。なお、かご３の天井には、ファン４を回転させるファン用モータ（図示せず）が設置されている。
【００１３】
また、エレベータ１は、かご３と主ロープ５を介して昇降路２内に吊り下げられ、かご１と相対的に昇降する釣合い錘６と、昇降路２の上部の機械室７に設置され、かご３に駆動力を伝達する巻上機８と、機械室７に設置され、ファン４の運転及び巻上機８の駆動を制御する制御装置９とを備えている。
【００１４】
巻上機８は、主ロープ５が巻き掛けられた駆動シーブ８Ａと、この駆動シーブ８Ａを回転させるモータ（図示せず）と、駆動シーブ８Ａを制動するブレーキ装置（図示せず）とを含んでいる。制御装置９は、ファン用モータと及び巻上機８のモータに接続され、ファン用モータを駆動することにより、ファン４を回転させると共に、巻上機８のモータ及びブレーキ装置を駆動することにより、かご５の走行速度を調整するようにしている。
【００１５】
本実施形態は、エレベータ１の異常を監視する監視装置１１と、この監視装置１１と通信回線１２を介して遠隔的に接続され、エレベータ１の状態を遠隔的に監視する監視センタ装置１３と、これらの監視装置１１及び監視センタ装置１３と通信回線１２を介して接続され、地域毎の気温や湿度等の気象情報を監視センタ装置１３へ定期的に配信する専門機関である気象情報サービス会社１４とを備えている。なお、この専門機関は、気象情報サービス会社１４の代わりに、例えば、気象庁等の公的機関であっても良い。
【００１６】
監視装置１１は、制御装置９に接続され、制御装置９のエレベータ１の制御情報を読み出して参照することにより、エレベータ１の異常を検出して処理する処理装置１１Ａと、通信回線１２に接続され、監視センタ装置１３との間で通信を行う通信装置１１Ｂとから構成されている。
【００１７】
処理装置１１Ａは、エレベータ１の運転指令として、例えば、巻上機８の駆動や後述のファン４の運転等の制御指令を制御装置９へ送信し、この制御装置９を介して巻上機８の駆動及びファン４の運転を制御する機能を有している。通信装置１１Ｂは、処理装置１１Ａが処理したエレベータ１の異常を監視センタ装置１３へ通報する機能を有している。
【００１８】
監視センタ装置１３は、監視装置１１及び気象情報サービス会社１４との間で通信を行う通信装置１３Ａと、この通信装置１３Ａを介して監視装置１１及び気象情報サービス会社１４からそれぞれ受信した各種の情報をデータとして処理する処理装置１３Ｂと、この処理装置１３Ｂに対して各種の情報を入力するパソコン等の操作卓１３Ｃと、処理装置１３Ｂが処理した情報のうち気象情報のデータを格納する気象情報データベース１３Ｄと、処理装置１３Ｂが処理した情報のうち顧客情報のデータを格納する顧客情報データベース１３Ｅとを備えている。
【００１９】
処理装置１３Ｂは、監視装置１１がエレベータ１の異常を監視するための初期設定を行ったり、監視装置１１からエレベータ１の稼働情報を収集して管理している。また、処理装置１３Ｂは、例えば、気象情報サービス会社１４から気象情報を受信し、この気象情報から地域毎の気温データ及び湿度データの双方を取得する気象情報取得部１３Ｂ１を有しており、この気象情報取得部１３Ｂ１で取得した気象情報をデータとして処理し、処理した気象情報のデータを気象情報データベース１３Ｄに登録する。
【００２０】
図２は気象情報データベース１３Ｄに格納された気象情報のデータの一例を示している。
【００２１】
気象情報データベース１３Ｄに格納された気象情報のデータは、例えば図２に示すように、都道府県の名称が示された都道府県データ１３Ｄ１、都道府県毎の市区町村の名称が示された市区町村データ１３Ｄ２、都道府県毎の市区町村の郵便番号が示された郵便番号データ１３Ｄ３、都道府県毎の各市区町村における気温Ｔが示された気温データ（℃）１３Ｄ４、及び都道府県毎の各市区町村における湿度Ｈが示された湿度データ（％）１３Ｄ５から構成されている。
【００２２】
具体例として、都道府県データ１３Ｄ１及び市区町村データ１３Ｄ２が、第１行目の北海道の○○市であれば、郵便番号データ１３Ｄ３の郵便番号、気温データ１３Ｄ４の気温Ｔ、及び湿度データ１３Ｄ５の湿度Ｈは、それぞれ０６０−０００３、２２℃、５５％となり、都道府県データ１３Ｄ１及び市区町村データ１３Ｄ２が、第２行目の東京都の△△区であれば、郵便番号データ１３Ｄ３の郵便番号、気温データ１３Ｄ４の気温Ｔ、及び湿度データ１３Ｄ５の湿度Ｈは、それぞれ１２０−０００２、２８℃、６０％となる。
【００２３】
ここで、新設のビルにエレベータ１が設置されると、ビルを所有するオーナーとエレベータ１の保守会社との間で、エレベータ１の保守管理に関する保守契約が結ばれ、この契約に伴って監視装置１１が新設のビルに設置されると、監視センタ装置１３内のオペレータが操作卓１３Ｃを操作して顧客情報の各データの項目を作成することにより、処理装置１３Ｂを介して顧客情報のデータを顧客情報データベース１３Ｅに登録する。
【００２４】
図３は顧客情報データベース１３Ｅに格納された顧客情報のデータの一例を示している。
【００２５】
顧客情報データベース１３Ｅに格納された顧客情報のデータは、例えば図３に示すように、保守契約が結ばれたビル、すなわち顧客の管理番号が示された管理番号データ１３Ｅ１、顧客の名称が管理番号毎に示された顧客名データ１３Ｅ２、顧客の郵便番号が管理番号毎に示された郵便番号データ１３Ｅ３、顧客の住所が管理番号毎に示された住所データ１３Ｅ４、顧客のビルに設置された監視装置１１の識別コードが管理番号毎に示された監視装置識別コードデータ１３Ｅ５、監視装置１１の電話番号が管理番号毎に示された監視装置電話番号データ１３Ｅ６、顧客のビルに設置されたエレベータ１のかご内の気温の設定値ｔが管理番号毎に示された気温データ（℃）１３Ｅ７、及び顧客のビルに設置されたエレベータのかご内の湿度の設定値ｈが管理番号毎に示された湿度データ（％）１３Ｅ８から構成されている。
【００２６】
具体例として、管理番号データ１３Ｅ１が第１行目の１０−００１であれば、顧客名データ１３Ｅ２の顧客名、郵便番号データ１３Ｅ３の郵便番号、住所データ１３Ｅ４の住所、監視装置識別コードデータ１３Ｅ５の識別コード、監視装置電話番号データ１３Ｅ６の電話番号、気温データ１３Ｅ７の気温ｔ、及び湿度データ１３Ｅ８の湿度ｈは、それぞれＡビル、０６０−０００３、北海道○○市・・・、９９９０、０１１−××××−××××、２４℃、６０％となり、管理番号データ１３Ｅ１が第２行目の１０−００２であれば、顧客名データ１３Ｅ２の顧客名、郵便番号データ１３Ｅ３の郵便番号、住所データ１３Ｅ４の住所、監視装置識別コードデータ１３Ｅ５の識別コード、監視装置電話番号データ１３Ｅ６の電話番号、気温データ１３Ｅ７の気温ｔ、及び湿度データ１３Ｅ８の湿度ｈは、それぞれＢビル、１２０−０００２、東京都△△区・・・、９９９１、０３−××××−××××、２６℃、６５％となる。
【００２７】
このように構成された顧客情報のデータのうち、例えば、気温データ１３Ｅ７及び湿度データ１３Ｅ８の双方については、保守契約を結ぶときに顧客から指定された値が、監視センタ装置１３内のオペレータの操作卓１３Ｃの操作によって予め設定される。なお、顧客情報のデータにおける気温データ１３Ｅ７及び湿度データ１３Ｅ８の設定値は、オペレータの操作卓１３Ｃの操作によって変更可能であり、また通信回線１２を介して顧客自身が設定したり、変更することも可能である。
【００２８】
また、図１に示すように、処理装置１３Ｂは、気象情報データベース１３Ｄに格納された気象情報のデータ及び顧客情報データベース１３Ｅに格納された顧客情報のデータに基づいて、前述のファン４の運転の制御指令を監視装置１１へ送信するファン制御指令送信部１３Ｂ２を有している。そして、監視装置１１の処理装置１１Ａは、ファン制御指令送信部１３Ｂ２から受信したファン４の運転の制御指令に応じて、ファン４の運転を制御するファン制御部１１Ａ１を有している。
【００２９】
具体的には、ファン制御指令送信部１３Ｂ２は、例えば、気象情報データベース１３Ｄに格納された気温データ１３Ｄ４のうちエレベータ１が設置された地域の気温Ｔが顧客情報データベース１３に格納された気温データ１３Ｅ７の気温ｔに比べて第１の所定値以上である場合、及び気象情報データベース１３Ｄに格納された湿度データ１３Ｄ５のうちエレベータ１が設置された地域の湿度Ｈが顧客情報データベース１３Ｅに格納された湿度データ１３Ｅ８の湿度ｈに比べて第２の所定値以上である場合のいずれかの場合に、ファン４の運転の制御指令としてファン４の動作指令をファン制御部１１Ａ１へ送信するようにしている。
【００３０】
また、ファン制御指令送信部１３Ｂ２は、例えば、気象情報データベース１３Ｄに格納された気温データ１３Ｄ４のうちエレベータ１が設置された地域の気温Ｔが顧客情報データベース１３Ｅに格納された気温データ１３Ｅ７の気温ｔに比べて第１の所定値未満である場合、及び気象情報データベース１３Ｄに格納された湿度データ１３Ｄ５のうちエレベータ１が設置された地域の湿度Ｈが顧客情報データベース１３Ｅに格納された湿度データ１３Ｅ８の湿度ｈに比べて第２の所定値未満である場合のいずれかの場合に、ファン４の運転の制御指令としてファン４の停止指令をファン制御部１１Ａ１へ送信するようにしている。なお、本実施形態では、上述の第１の所定値は、例えば、２℃に設定され、上述の第２の所定値は、例えば、５％に設定されている。
【００３１】
次に、監視センタ装置１３及び監視装置１１によるファン４の運転の制御処理の一例を図４のフローチャートを参照して詳細に説明する。
【００３２】
まず、監視センタ装置１３における処理装置１３Ｂの気象情報取得部１３Ｂ１は、気象情報サービス会社１４から配信された気象情報が更新されているかどうかを確認する（ステップ（以下、Ｓと記す）１）。このとき、気象情報取得部１３Ｂ１は、気象情報が更新されていないことを確認すると（Ｓ１／ＮＯ）、Ｓ１からの処理が繰り返される。
【００３３】
一方、Ｓ１において、気象情報取得部１３Ｂ１は、気象情報が更新されていることを確認すると（Ｓ１／ＹＥＳ）、最新の気象情報を取得して更新する。そして、処理装置１３Ｂは、更新された気象情報をデータとして処理し、処理した気象情報のデータを気象情報データベース１３Ｄに登録する（Ｓ２）。
【００３４】
次に、処理装置１３Ｂのファン制御指令送信部１３Ｂ２は、Ｓ２において登録した気象情報のデータの地域のうち更新された地域のファン４の運転の制御設定が完了したかどうかを確認する（Ｓ３）。このとき、ファン制御指令送信部１３Ｂ２は、更新された地域のファン４の運転の制御設定が完了していることを確認すると（Ｓ３／ＹＥＳ）、全地域のファン４の運転の制御設定が完了しているので、Ｓ１からの処理が繰り返される。
【００３５】
一方、Ｓ３において、ファン制御指令送信部１３Ｂ２は、更新された地域のファン４の運転の制御設定が完了していないことを確認すると（Ｓ３／ＮＯ）、気象情報データベース１３Ｄから更新された地域に該当する都道府県データ１３Ｄ１及び市区町村データ１３Ｄ２、又は郵便番号データ１３Ｄ３の気温データ１３Ｄ４と湿度データ１３Ｄ５を読み出す（Ｓ４）。
【００３６】
次に、ファン制御指令送信部１３Ｂ２は、顧客情報データベース１３Ｅに格納された顧客情報のデータのうち更新された地域に設置されている全監視装置１１に対してファン４の運転の制御設定が完了したかどうかを確認する（Ｓ５）。このＳ５の確認において、気象情報のデータにおける都道府県データ１３Ｄ１及び市区町村データ１３Ｄ２の都道府県及び市区町村の組み合わせと、顧客情報のデータにおける住所データ１３Ｅ４の都道府県及び市区町村の組み合わせとが合致する場合、又は気象情報のデータにおける郵便番号データ１３Ｄ３の郵便番号と、顧客情報のデータにおける郵便番号データ１３Ｅ３の郵便番号とが合致する場合に、気象情報のデータの地域が顧客情報のデータの地域に該当するとみなされる。
【００３７】
Ｓ５において、ファン制御指令送信部１３Ｂ２は、更新された地域に設置されている全監視装置１１に対してファン４の運転の制御設定が完了したことを確認すると（Ｓ５／ＹＥＳ）、Ｓ３からの処理が繰り返される。一方、Ｓ５において、ファン制御指令送信部１３Ｂ２は、更新された地域に設置されている全監視装置１１に対してファン４の運転の制御設定が完了していないことを確認すると（Ｓ５／ＮＯ）、Ｓ４で読み出した気象情報のデータにおける都道府県データ１３Ｄ１及び市区町村データ１３Ｄ２、又は郵便番号データ１３Ｄ３を参照し、顧客情報データベース１３Ｅから該当する地域の顧客情報のデータを読み出す（Ｓ６）。
【００３８】
次に、ファン制御指令送信部１３Ｂ２は、Ｓ４で読み出した気象情報のデータにおける気温データ１３Ｄ４の気温ＴとＳ６で読み出した顧客情報のデータにおける気温データ１３Ｅ７の気温ｔとを比較し、気温データ１３Ｄ４の気温Ｔと気温データ１３Ｅ７の気温ｔとの差分ΔＴ（＝Ｔ−ｔ）が第１の所定値である２℃以上であるかどうかを判断する（Ｓ７）。
【００３９】
このとき、ファン制御指令送信部１３Ｂ２は、気温データ１３Ｄ４の気温Ｔと気温データ１３Ｅ７の気温ｔとの差分ΔＴが２℃以上であると判断すると（Ｓ７／ＹＥＳ）、ファン４の動作指令を、通信装置１３Ａ、通信回線１２、及び該当する監視装置１１における通信装置１１Ｂを介して処理装置１１Ａのファン制御部１１Ａ１へ送信する（Ｓ１０）。そして、ファン制御部１１Ａ１は、受信したファン４の動作指令を制御装置９へ送信し、この制御装置９を介してファン４を動作させる。これにより、該当する監視装置１１に対するファン４の運転の制御設定が完了し、Ｓ５からの処理が繰り返される。
【００４０】
一方、ファン制御指令送信部１３Ｂ２は、気温データ１３Ｄ４の気温Ｔと気温データ１３Ｅ７の気温ｔとの差分ΔＴが２℃未満であると判断すると（Ｓ７／ＮＯ）、Ｓ４で読み出した気象情報のデータにおける湿度データ１３Ｄ５の湿度ＨとＳ６で読み出した顧客情報のデータにおける湿度データ１３Ｅ８の湿度ｈとを比較し、湿度データ１３Ｄ５の湿度Ｈと湿度データ１３Ｅ８の湿度ｈとの差分ΔＨ（＝Ｈ−ｈ）が第２の所定値である５％以上であるかどうかを判断する（Ｓ８）。このとき、ファン制御指令送信部１３Ｂ２は、湿度データ１３Ｄ５の湿度Ｈと湿度データ１３Ｅ８の湿度ｈとの差分ΔＨが５％以上であると判断すると（Ｓ８／ＹＥＳ）、Ｓ１０の処理が行われる。
【００４１】
Ｓ８において、ファン制御指令送信部１３Ｂ２は、湿度データ１３Ｄ５の湿度Ｈと湿度データ１３Ｅ８の湿度ｈとの差分ΔＨが５％未満であると判断すると（Ｓ８／ＮＯ）、ファン４の停止指令を、通信装置１３Ａ、通信回線１２、及び該当する監視装置１１における通信装置１１Ｂを介して処理装置１１Ａのファン制御部１１Ａ１へ送信する（Ｓ９）。そして、ファン制御部１１Ａ１は、受信したファン４の停止指令を制御装置９へ送信し、この制御装置９を介してファン４を停止させる。これにより、該当する監視装置１１に対するファン４の運転の制御設定が完了し、Ｓ５からの処理が繰り返される。
【００４２】
このように構成した本実施形態によれば、監視センタ装置１３のファン制御指令送信部１３Ｂ２が、気象情報データベース１３Ｄに格納された気象情報のデータ及び顧客情報データベース１３Ｅに格納された顧客情報のデータに基づいて、ファン４の動作指令又は停止指令を監視装置１１のファン制御部１１Ａ１へ送信することにより、かご３内の気温や湿度等を測定するセンサを設置しなくても、エレベータ１が設置された地域の気温及び湿度に合わせてファン４の運転を適宜切替えることができる。これにより、かご３内の気温や湿度等を測定するセンサの購入費や専門技術者による施工費等の設置コストを削減しつつ、かご３内の快適な環境を得ることができる。このように、かご３内の環境を良好な状態へ安価で整えることができるので、エレベータ１に対するサービス性を向上させることができる。
【００４３】
また、本実施形態は、気温データ１３Ｄ４の気温Ｔと気温データ１３Ｅ７の気温ｔとの差分ΔＴが２℃以上、あるいは湿度データ１３Ｄ５の湿度Ｈと湿度データ１３Ｅ８の湿度ｈとの差分ΔＨが５％以上になるまで、ファン４の動作指令がファン制御指令送信部１３Ｂ２からファン制御部１１Ａ１へ送信されないので、ファン４の運転が頻繁に切替わることを抑制することができる。これにより、ファン４の運転の消費電力を低減すると共に、かご３内が過剰に冷却されるのを防止することができる。
【００４４】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００４５】
また、本発明の第１、第２実施形態では、気象情報取得部１３Ｂ１は、気象情報を配信する専門機関から地域毎の気温データ及び湿度データの双方のデータを取得した場合について説明したが、この場合に限らず、気象情報取得部１３Ｂ１は、気象情報を配信する専門機関から地域毎の気温データ及び湿度データのいずれかのデータを取得しても良い。
【００４６】
そして、気象情報取得部１３Ｂ１が地域ごとの気温データのみを取得した場合には、顧客情報データベース１３Ｅは、エレベータ１に対して予め設定される気温データを格納し、ファン制御指令送信部１３Ｂ２によるファン４の運転の制御指令の送信は、これらの気温データに基づいて行われ、気象情報取得部１３Ｂ１が地域ごとの湿度データのみを取得した場合には、顧客情報データベース１３Ｅは、エレベータ１に対して予め設定される湿度データを格納し、ファン制御指令送信部１３Ｂ２によるファン４の運転の制御指令の送信は、これらの湿度データに基づいて行われる。
【符号の説明】
【００４７】
１  エレベータ
２  昇降路
３  かご
４  ファン
５  主ロープ
６  釣合い錘
７  機械室
８  巻上機
８Ａ  駆動シーブ
９  制御装置
１１  監視装置
１１Ａ  処理装置
１１Ａ１  ファン制御部
１１Ｂ  通信装置
１２  通信回線
１３  監視センタ装置
１３Ａ  通信装置
１３Ｂ  処理装置
１３Ｂ１  気象情報取得部
１３Ｂ２  ファン制御指令送信部
１３Ｃ  操作卓
１３Ｄ  気象情報データベース
１３Ｅ  顧客情報データベース
１４  気象情報サービス会社
【図１】
2015224115.tif 000003
【図２】
2015224115.tif 000004
【図３】
2015224115.tif 000005
【図４】
2015224115.tif 000006